(57)【要約】【課題】低音を遊技機枠の前方に適切に提供する。【解決手段】前面パネル５２と後面パネル５３とが前後方向に離れて相対峙するようにフレーム５１で支持され、フレーム５１と前面パネル５２と後面パネル５３とで囲まれた閉鎖空間を構成し、フレーム５１にはスピーカ設置部６０およびフレーム音出口６５が設けられ、スピーカ設置部６０は後面パネル５３よりも外側に位置して前後方向に貫通する筒状に構成され、フレーム音出口６５はフレーム５１の前面に開口し、低音スピーカ２８がコーンを前方に向けてスピーカ設置部６０に取り付けられ、前面パネル５２がフレーム５１に取り付けられた場合に張出部６６が前開口６２を塞ぎ、後面パネル５３がフレーム５１に取り付けられた場合に張出部６７がフレーム音出口６５の後部を塞ぎ、張出部６６を有する前面パネル５２と張出部６７を有する後面パネル５３とが互いに同一形状に形成されている。【選択図】図１
2008119110.tif 000002
【特許請求の範囲】
【請求項１】
遊技機枠の前扉が前後方向に貫通する窓を後方からパネル構造体で塞ぐ構造であり、パネル構造体は窓側の前面パネルと後方の後面パネルとを前後方向に離れて相対峙するようにフレームで支持して前面パネルと後面パネルとフレームとで囲まれた閉鎖空間を備えた構造であり、フレームにはスピーカ設置部およびフレーム音出口が設けられ、スピーカ設置部は後面パネルよりも外側に位置して前後方向に貫通する筒状に構成され、フレーム音出口はパネル構造体の前面にスピーカ設置部と異なる位置で開口し、低音スピーカがコーンを前方に向けてスピーカ設置部に取り付けられ、前扉の前面にはフレーム音出口に繋がる扉放音部が設けられた遊技音響装置において、前面パネルには前面パネルがフレームに取り付けられた場合にスピーカ設置部の前開口を塞ぐ張出部が設けられ、後面パネルには後面パネルがフレームに取り付けられた場合にフレーム音出口の後部を塞ぐ張出部が設けられ、張出部を有する前面パネルと張出部を有する後面パネルとが互いに同一形状に形成されたことを特徴とする遊技音響装置。
【請求項２】
請求項１記載の低音スピーカがスピーカ設置部から後方に突出するようにスピーカ設置部に取り付けられたことを特徴とする遊技音響装置。
【発明の詳細な説明】
【技術分野】
【０００１】
本発明は、低音が遊技機枠の前方に適切に提供される遊技音響装置に関する。
【背景技術】
【０００２】
遊技音響装置には、次のような構造のものが知られている。その１つは、遊技機枠の後方にスピーカとエンクロージャとが一体になったスピーカ構造体を設け、エンクロージャの音をパイプで遊技機枠の前方に誘導して放出するようにした構造であるが、この場合、スピーカ構造体のほかにパイプが必要で、構造が複雑となるという欠点がある。もう１つは、前扉のガラスを振動板として利用した構造であるが、この場合、ガラスの共振周波数が数百ヘルツであるため、低音再生用として使用するには適切でないという欠点がある。さらにもう１つは、圧電式のスピーカを前扉のガラスに接触した構造であるが、この場合、ガラスの共振周波数が数百ヘルツであるため、低音再生用として使用するには適切でないという欠点がある。最後の１つは、圧電式のスピーカを前扉に貼り付けた構造であるが、この場合、ガラスの共振周波数が数百ヘルツであるため、低音再生用として使用するには適切でないという欠点がある。
【特許文献１】特開２００４−２２９１３８号公報
【特許文献２】特開平７−８６０１１号公報
【特許文献３】特開平１０−２１６３２５号公報
【特許文献４】特開２００３−１３５８０４号公報
【発明の開示】
【発明が解決しようとする課題】
【０００３】
発明が解決しようとする問題点は、音による遊技の演出が遊技機枠の前方に適切に提供できないという点である。
【課題を解決するための手段】
【０００４】
本発明に係る遊技音響装置は、遊技機枠の前扉が前後方向に貫通する窓を後方からパネル構造体で塞ぐ構造であり、パネル構造体は窓側の前面パネルと後方の後面パネルとを前後方向に離れて相対峙するようにフレームで支持して前面パネルと後面パネルとフレームとで囲まれた閉鎖空間を備えた構造であり、フレームにはスピーカ設置部およびフレーム音出口が設けられ、スピーカ設置部は後面パネルよりも外側に位置して前後方向に貫通する筒状に構成され、フレーム音出口はフレームの前面にスピーカ設置部と異なる位置で開口し、低音スピーカがコーンを前方に向けてスピーカ設置部に取り付けられ、前扉の前面にはフレーム音出口に繋がる扉放音部が設けられた遊技音響装置において、前面パネルには前面パネルがフレームに取り付けられた場合にスピーカ設置部の前開口を塞ぐ張出部が設けられ、後面パネルには後面パネルがフレームに取り付けられた場合にフレーム音出口の後部を塞ぐ張出部が設けられ、張出部を有する前面パネルと張出部を有する後面パネルとが互いに同一形状に形成されたことを最も主要な特徴とする。低音スピーカがスピーカ設置部から後方に突出するようにスピーカ設置部に取り付けられてもよい。
【発明の効果】
【０００５】
本発明に係る遊技音響装置は、低音スピーカのコーンから前方に放出された音が筒状のスピーカ設置部から前面パネルと後面パネルおよびフレームで囲まれた閉鎖空間をエンクロージャとして利用して音出口および低音放音孔部を順に経由して前扉の前方に放出されるので、低音による遊技の演出が遊技機枠の前方で遊技を行う遊技者に適切に提供されるうえ、低音スピーカのコーンから前方に放出された直後の音圧の高い音が前面パネルにおけるスピーカ設置部の前開口を塞いだ張出部に伝達されるので、良好な低音がスピーカ設置部から閉鎖空間に放出され、上記閉鎖空間からフレーム音出口の方に放出された直後の音圧の高い音がフレーム音出口の後部を塞いだ後面パネルの張出部に伝達されるので、良好な低音が閉鎖空間からフレーム音出口に放出され、張出部を有する前面パネルと張出部を有する後面パネルとが互いに同一形状に形成されているので、前面パネルを後面パネルとして使用し、後面パネルを前面パネルとして使用するというように、１種類のパネルを前面パネルと後面パネルとの双方に使用できるという利点がある。低音スピーカがスピーカ設置部から後方に突出するようにスピーカ設置部に取り付けられれば、低音スピーカが前扉における後方の空間を占有することがなく、前扉における後方の空間には、前扉に必要な電気部品を適切に取り付けることができるという利点がある。
【発明を実施するための最良の形態】
【０００６】
図１乃至図８は、発明を実施するための最良の形態である。図１は、パネル構造体２５を分解して前方から示す。図２は、パネル構造体２５を分解して後方から示す。図３は、前面パネル５２と後面パネル５３とを重ね合わせて示す。図４は、パチンコ遊技機を分解して示す。図５は、前扉４およびパネル構造体２５を分解して示す。図６は、パチンコ遊技機の正面を示す。図７は、図６のＡ−Ａ線に沿い切断した断面を示す。図８は、図６のＢ−Ｂ線に沿い切断した断面を示す。本明細書において、「前」、「後」、「左」、「右」、「上」、「下」の方向は、図４の状態に遊技機枠１および遊技盤３５を置いて矢印Ｓで示す前方から見た場合に特定される方向である。
【０００７】
図１を参照し、パネル構造体２５の前構造について説明する。パネル構造体２５は、フレーム５１に、前面パネル５２と後面パネル５３と低音スピーカ２８およびスピーカ後カバー５４を取り付けることによって、構成される。フレーム５１は、前面パネル５２および後面パネル５３よりも大形な外形を有する板状に構成される。フレーム５１には、透視開口部５５、前パネル収容部５６、後パネル収容部５７、ヒンジ５８、掛止受止部５９、スピーカ設置部６０、スピーカ前カバー６１、前開口６２、音導入路６３、前パネル支持体６４、フレーム音出口６５が設けられる。透視開口部５５は、窓２４（図４または図５参照）よりも大きな相似形で、前後方向への貫通孔を構成する。前パネル収容部５６は、前面パネル５２の周縁部を収容する窪みとして、透視開口部５５の前部とスピーカ設置部６０の前部とに設けられる。後パネル収容部５７については、図２で詳述する。ヒンジ５８は、図４のヒンジ２７におけるパネル構造体２５に設けられたヒンジ要素を構成するものであって、フレーム５１の左側部に上下に分かれて設けられる。
【０００８】
図１に戻り、掛止受止部５９は、フレーム５１の右側部に上下に分かれて設けられる。スピーカ設置部６０は、透視開口部５５の左上部よりも外側に位置し、前パネル収容部５６の内外に跨り、前後方向に貫通する筒状に構成される。スピーカ前カバー６１は、前パネル収容部５６よりも外側におけるスピーカ設置部６０の前部を塞ぐ板状に構成される。前開口６２は、スピーカ設置部６０のスピーカ前カバー６１や前パネル収容部５６で覆われていない部分である。音導入路６３は、前開口６２から透視開口部５５に音を誘導する窪みとして、透視開口部５５とスピーカ設置部６０との間に設けられる。前パネル支持体６４は、前面パネル５２を受け止める突起として、音導入路６３に設けられる。フレーム音出口６５は、前パネル収容部５６の左下部よりも外側に位置し、前後方向への貫通孔を構成する。
【０００９】
前面パネル５２は、無色透明なガラス板により構成される。前面パネル５２には、張出部６６が左上部に設けられる。前面パネル５２の周縁部が前パネル収容部５６に収容されて図外の接着剤で固定され、前面パネル５２がフレーム５１に取り付けられた場合、仮想線Ｌ１で囲まれた部分が透視開口部５５の前部を塞ぎ、張出部６６が前開口６２の前部と音導入路６３の前部とを塞ぐ。
【００１０】
後面パネル５３は、無色透明なガラス板により構成される。後面パネル５３には、張出部６７が左下部に設けられる。後面パネル５３の周縁部が後パネル収容部５７に収容されて図外の接着剤で固定され、後面パネル５３がフレーム５１に取り付けられた場合、仮想線Ｌ２で囲まれた部分が透視開口部５５の後部を塞ぎ、張出部６７がフレーム音出口６５の後部と図２の音導出路６８の後部とを塞ぐ。
【００１１】
図２を参照し、パネル構造体２５の後構造について説明する。フレーム５１の後部には、音導出路６８および後パネル支持体６９が設けられる。音導出路６８は、透視開口部５５からフレーム音出口６５に音を誘導する窪みとして、透視開口部５５とフレーム音出口６５の周囲との間に設けられる。後パネル支持体６９は、後面パネル５３を受け止める突起として、音導出路６８に設けられる。スピーカ設置部６０の内部には、スピーカ取付部７０が設けられる。スピーカ設置部６０の外部には、後カバー取付部７１が設けられる。
【００１２】
低音スピーカ２８は、円錐形なコーン７３の後部に音響変換部７４を備え、コーン７３の前縁部から外側にフランジ７５を突出し、フランジ７５に複数のねじ挿入孔７６を備え、音響変換部７４が音響変換部７４から外側に突出した被覆電線からなる引出線７７から入力された音電流を機械的な振動に変換してコーン７３に伝達し、コーン７３が伝達された振動を低音波として拡大して放出する。引出線７７にはコネクタ７８が設けられる。
【００１３】
低音スピーカ２８がフレーム５１に取り付けられる場合、コーン７３が前方に向けられるように、低音スピーカ２８がフレーム５１の後方からスピーカ設置部６０に配置されることによって、コーン７３および音響変換部７４がスピーカ設置部６０に接触せず、フランジ７５の前面がスピーカ取付部７０の後面に接触する。そして、タッピングスクリューのような止ねじ７９が低音スピーカ２８の後からねじ挿入孔７６を経由してスピーカ取付部７０に締結される。これによって、低音スピーカ２８が、スピーカ設置部６０から後方に突出するように、スピーカ設置部６０に取り付けられる。
【００１４】
スピーカ後カバー５４は、前方に開口した箱形である。スピーカ後カバー５４の前開口の周縁部には、取付部としてのねじ挿入孔８１が設けられる。スピーカ後カバー５４の後壁には、多数の貫通孔からなる放音孔部８２が設けられる。スピーカ後カバー５４が被せられる場合、コネクタ７８がスピーカ後カバー５４の前から放音孔部８２を構成する１つの貫通孔に挿入されてスピーカ後カバー５４の後に引き出されることによって、引出線７７がスピーカ後カバー５４の後壁に貫通させられる。そして、スピーカ後カバー５４が低音スピーカ２８の後から低音スピーカ２８に被せられ、スピーカ後カバー５４の前開口の周縁部がスピーカ設置部６０の後面に接触され、タッピングスクリューのような止ねじ８３がスピーカ後カバー５４の後からねじ挿入孔８１を経由して後カバー取付部７１に締結される。これによって、スピーカ後カバー５４がスピーカ設置部６０に取り付けられる。
【００１５】
図３を参照し、前面パネル５２と後面パネル５３との形状について説明する。前面パネル５２の後面と後面パネル５３の前面とが互いに重ね合わされ、張出部６６と張出部６７とが対向するように、前面パネル５２と後面パネル５３とが互いに重ね合わされたまま平行に回転された場合、張出部６６と張出部６７とが完全に一致する。つまり、張出部６６を有する前面パネル５２と張出部６７を有する後面パネル５３とが、互いに同一形状に形成されている。よって、前面パネル５２を後面パネル５３として使用し、後面パネル５３を前面パネル５２として使用するというように、形状的に１種類のパネルを前面パネル５２と後面パネル５３との双方に使用できるという利点がある。
【００１６】
図４を参照し、パチンコ遊技機の構造について説明する。遊技機枠１は、固定枠２の前に可動枠３を開閉可能に備え、可動枠３の前方に前扉４および皿構造体５を開閉可能に備える。固定枠２は、パチンコ遊技機を設置する遊技店の島と呼ばれる遊技機設置設備に固定される外枠とも呼ばれる。可動枠３は、遊技盤３５や図外の制御装置など遊技に必要な部品を取り付ける前枠とも呼ばれる。可動枠３は、左側に位置するヒンジ６を中心とし、固定枠２の前で前方に開かれかつ後方に閉じられるように、片開き可能であって、盤収容部７、中央開口部８、盤後押出部９、盤前受止部１０、盤掛止操作体１１、盤棚１２、球発射機構１３、球発射レール１４、戻り球取入口１５、前横樋１６、機外排出樋１７、施錠装置１８、掛止機構１９；２０；２１および掛止解除操作体２２が設けられる。盤収容部７は、遊技盤３５を可動枠３の前から格納させるように、前方に開口した方形な箱形である。中央開口部８は、盤収容部７の背壁に、前後方向への貫通孔として形成される。
【００１７】
盤後押出部９は、遊技盤３５を前方に押す板ばねのような弾性体である。盤前受止部１０は、盤後押出部９で前方に押された遊技盤３５を受け止める突起である。盤後押出部９が後方で盤前受止部１０が前方となるように、盤後押出部９および盤前受止部１０が盤収容部７の左側部に設けられる。盤掛止操作体１１は、盤収容部７の背壁から前方に突出し、盤収容部７の背壁と平行な方向に回転可能に、盤収容部７の右側部に設けられる。盤棚１２は、遊技盤３５を搭載する左右方向に平坦な面として、盤収容部７の下縁部により形成される。球発射機構１３、球発射レール１４、戻り球取入口１５、前横樋１６は、盤棚１２から下側に延設された前壁の前面に設けられる。機外排出樋１７は、盤棚１２から下側に延設された前壁の後面に設けられる。施錠装置１８、掛止機構１９；２０；２１、掛止解除操作体２２は、可動枠３の右側部に設けられる。
【００１８】
前扉４および皿構造体５は、個別に、左側に位置するヒンジ２３を中心とし、可動枠３の前で前方に開かれかつ後方に閉じられるように、片開き可能である。前扉４は、パネル枠とも呼ばれ、前後方向に貫通する窓２４を囲む額縁形状である。前扉４の後面には、パネル構造体２５および掛止部材２６が設けられる。パネル構造体２５は、左側に位置するヒンジ２７を中心とし、前扉４の後で後方に開かれかつ前方に閉じられるように、片開き可能である。パネル構造体２５が閉じられて前扉４に掛止部材２６で開閉不能に支持されると、パネル構造体２５が窓２４を後から塞ぐ。パネル構造体２５には、低音スピーカ２８が設けられる。
【００１９】
皿構造体５の前面には、受皿部２９および発射操作機構３０が設けられる。皿構造体５の後面には、球取入口３１および球供給口３２が設けられる。皿構造体５が閉じられた場合、球発射機構１３と球発射レール１４と戻り球取入口１５と前横樋１６および掛止解除操作体２２が、皿構造体５で覆い隠される。可動枠３が閉じられて固定枠２に掛止機構１９で開閉不能に支持され、前扉４および皿構造体５が閉じられて可動枠３に掛止機構２０；２１で開閉不能に支持された状態において、遊技店の店員が図外のキープレート（鍵）を遊技機枠１の前方から施錠装置１８の鍵穴に挿入し、当該キープレートを例えば右側に９０度回転操作すると、固定枠２と可動枠３との掛止機構１９による支持形態が解除される。この支持形態の解除後に、遊技店の店員が可動枠３を前方に引くことによって、可動枠３はヒンジ６を中心として前方に片開きされる。
【００２０】
前記施錠装置１８の鍵穴に挿入されたキープレートが例えば左側に９０度回転操作されると、可動枠３と前扉４との掛止機構２０による支持形態が解除される。この支持形態の解除後に、遊技店の店員が前扉４を前方に引くことによって、前扉４はヒンジ２３を中心として前方に片開きされる。前扉４が片開きされた状態において、遊技店の店員が掛止解除操作体２２を操作すると、前扉４と皿構造体５との掛止機構２１による支持形態が解除される。この支持形態の解除後に、遊技店の店員が皿構造体５を前方に引くことによって、皿構造体５はヒンジ２３を中心として前方に片開きされる。
【００２１】
遊技盤３５には、ガイドレール３６、入賞部品３７、遊技釘３８、発射通路３９、アウト口４０、取付孔部４１、証紙台４２、スピーカ逃避部４３、図外のその他遊技部品が設けられる。ガイドレール３６は、遊技盤３５の前面に固定される。入賞部品３７、遊技釘３８、発射通路３９、アウト口４０は、ガイドレール３６で囲まれた遊技盤３５の前面に設けられる。取付孔部４１は、遊技盤３５の右側部の上下に分かれて設けられる。証紙台４２は、下部の取付孔部４１の前部に設けられる。証紙台４２が閉じられると、下部の取付孔部４１が証紙台４２で覆い隠される。スピーカ逃避部４３は、遊技盤３５の左上隅部が除去されて構成される。その他遊技部品としては、風車、センター飾り、サイドランプ、フィギャー、キャラクター、保留数表示器などである。
【００２２】
そして、前扉４が少なくとも前方に開かれた状態において、遊技盤３５の左側部が可動枠３の前から盤後押出部９と盤前受止部１０との間に挿入され、遊技盤３５の右側部が遊技店の店員によって前から後に押され、盤掛止操作体１１が遊技盤３５の後から取付孔部４１に挿入され、遊技店の店員が遊技盤３５の前に突出した盤掛止操作体１１を例えば９０度回転操作することによって、盤掛止操作体１１が遊技盤３５の前面に掛け止められ、遊技盤３５の前面が前方に向けられ、遊技盤３５が可動枠３の内部における盤収容部７に装着される。そして、前扉４が閉じられた場合、低音スピーカ２８の後部が遊技盤３５の前からスピーカ逃避部４３を経由して遊技盤３５の後に突出する。閉じられた前扉４が可動枠３に掛止機構２０で開閉不能に支持されることによって、図６および図７に示すように、遊技盤３５の前面が遊技機枠１の窓２４およびパネル構造体２５を通して見える形態となる。その後、遊技店の店員がキープレートを施錠装置１８の鍵穴から前方に抜き取る。
【００２３】
図５を参照し、前扉４の前構造について説明する。前扉４には、窓２４、扉放音部４４、証紙表示部４５が設けられる。扉放音部４４は、窓２４の左下部よりも外側に配置される。扉放音部４４の後面には、扉音入口４６が設けられる。扉放音部４４の前面には、扉音出口４７が設けられる。扉放音部４４は、扉音入口４６から入った音を扉音出口４７に出すように、空気の振動による音の伝達路Ｒ（図７および図８参照）を形成する。つまり、扉放音部４４は、バスレフダクトを構成する。証紙表示部４５は、前扉４の前から後を透視できる部材で覆われた透視部分として、窓２４の右下部よりも外側に設けられる。
【００２４】
図６を参照し、前扉４の閉じられたパチンコ遊技機の前面について説明する。前扉４の前面の下部には、扉放音部４４および証紙表示部４５が左右に分かれて配置される。
【００２５】
図７を参照し、パチンコ遊技機の内部構造について説明する。遊技盤３５が可動枠３に装着され、前扉４が閉じられて可動枠３に支持された場合、前面パネル５２と遊技盤３５およびガイドレール３６で囲まれた空間が、球の飛び交う遊技領域４８として構成される。パネル構造体２５のフレーム５１と前面パネル５２および後面パネル５３で囲まれた閉鎖空間Ｄがエンクロージャを構成し、バスレフダクトを構成する扉放音部４４がパネル構造体２５と別体として前扉４に設けられたので、音のチューニングが容易かつ適切に行えるようにエンクロージャの容積とバスレフダクトにおける音の伝達路Ｒの容積とを別々に設定することができるという利点がある。
【００２６】
図７および図８を参照し、低音スピーカ２８の音の伝わり方について説明する。図７において、低音スピーカ２８のコーン７３から前に放出された音は、空気の振動による音の矢印Ｘ１で示す伝達路により、スピーカ設置部６０の前から、張出部６６、音導入路６３、閉鎖空間Ｄ、張出部６７、音導出路６８、フレーム音出口６５、扉放音部４４、扉音出口４７（図８参照）を順に経由し、前扉４の左下部から前方に放出される。
【００２７】
つまり、前面パネル５２が張出部６６を備え、張出部６６がスピーカ設置部６０の前方に配置されているので、スピーカ設置部６０において、前パネル収容部５６および後パネル収容部５７が互いに前後方向で相対峙しないように位置がずれる。よって、前パネル収容部５６および後パネル収容部５７が互いに前後方向で相対峙した場合に比べ、前面パネル５２の後面と後パネル収容部５７の前面との間の間隙Ｈ１が広くなる。このようにスピーカ設置部６０における間隙Ｈ１が広くなると、低音スピーカ２８のコーン７３から前方に放出された直後の音圧の高い音が広い間隙Ｈ１を通過するので、良好な低音がスピーカ設置部６０から閉鎖空間Ｄに放出されるという利点がある。
【００２８】
後面パネル５３が張出部６７を備え、張出部６７がフレーム音出口６５の後方に配置されているので、フレーム音出口６５において、前パネル収容部５６および後パネル収容部５７が互いに前後方向で相対峙しないように位置がずれる。よって、前パネル収容部５６および後パネル収容部５７が互いに前後方向で相対峙した場合に比べ、後面パネル５３の前面と前パネル収容部５６の後面との間の間隙Ｈ２が広くなる。このようにフレーム音出口６５における間隙Ｈ２が広くなると、閉鎖空間Ｄから音導出路６８に放出された直後の音圧の高い音が広い間隙Ｈ２を通過するので、良好な低音が閉鎖空間Ｄから音導出路６８に放出されるという利点がある。
【００２９】
低音スピーカ２８がスピーカ設置部６０から後方に突出するようにスピーカ設置部６０に取り付けられているので、低音スピーカ２８が前扉４における後方の空間を占有することがなく、前扉４における後方の空間には、前扉４に必要な電気部品を適切に取り付けることができるという利点がある。低音スピーカ２８のコーン７３から後方に放出された音は、空気の振動による音の矢印Ｘ２で示す伝達路により、スピーカ設置部６０の後方から、スピーカ後カバー５４、放音孔部８２、スピーカ逃避部４３を順に経由し、遊技盤３５の後方に放出されるので、前扉４の下部前方に放出される低音と打ち消しあうように干渉する不都合はないという利点がある。
【００３０】
図８において、扉音入口４６および扉音出口４７が互いに位置を左右にずらして設けられているので、扉放音部４４の伝達路Ｒを適切な左右方向の長さに形成することができるという利点がある。
【産業上の利用可能性】
【００３１】
図９は、異なる形態に係るパネル構造体２５のフレーム５１から後面パネル５３を分解し、低音スピーカ２８およびスピーカ後カバー５４を除去した後方から示す。図９において、音導出路６８には、隔壁８８および音導入部８９が設けられる。隔壁８８は、音導入部８９からフレーム音出口６５に音を矢印Ｘ３で示す経路で誘導するように、音導出路６８の裏面から裏側に突出した突条である。音導入部８９は、隔壁８８の上部が透視開口部５５に繋がるように取り除かれたことによって形成される。そして、後面パネル５３がフレーム５１に固定されることによって、張出部６７の裏面が隔壁８８の前面に接触するので、張出部６７から図２の後パネル支持体６９が除去できる。また、張出部６７がフレーム音出口６５の後部と音導出路６８の後部とを塞ぐことによって、パネル構造体２５には張出部６７と音導出路６８と隔壁８８と音導入部８９とからなるバスレフダクトが構成される。よって、図５の扉放音部４４がバスレフダクトを構成する構造でなく単に低音を前扉４の前に放出する音通路の構造でもよい。
【００３２】
図１において、低音スピーカ２８が前後方向に重ねられて配置される場所は、遊技機枠１の左上部に限定されるものではない。
【００３３】
図４において、遊技盤３５を盤収容部７に装着する構造として、盤後押出部９と盤前受止部１０および盤掛止操作体１１以外の構造でもよい。遊技盤３５は、可動枠３の後から後部に取り付けられる構造でもよい。
【００３４】
図５において、扉放音部４４およびフレーム音出口６５は、複数であってもよい。
【００３５】
図３において、張出部６６を有する前面パネル５２と張出部６７を有する後面パネル５３とが形状的には同一であるが、材質的には別々であってもよい。例えば、前面パネル５２が強化ガラスで構成され、後面パネル５３が素通しガラスで構成されるというように材質的には二種類であってもよい。
【図面の簡単な説明】
【００３６】
【図１】パネル構造体の前方からの分解斜視図（最良の形態）。
【図２】パネル構造体の後方からの分解斜視図（最良の形態）。
【図３】前面パネルと後面パネルとの正面図（最良の形態）。
【図４】パチンコ遊技機の分解斜視図（最良の形態）。
【図５】前扉およびパネル構造体の分解斜視図（最良の形態）。
【図６】パチンコ遊技機の正面図（最良の形態）。
【図７】図６のＡ−Ａ縦断面図（最良の形態）。
【図８】図６のＢ−Ｂ縦断面図（最良の形態）。
【図９】パネル構造体の後方からの分解斜視図（異なる形態）。
【符号の説明】
【００３７】
１は遊技機枠、２は固定枠、３は可動枠、４は前扉、５は皿構造体、６はヒンジ、７は盤収容部、８は中央開口部、９は盤後方押出部、１０は盤前方受止部、１１は盤掛止操作体、１２は盤棚、１３は球発射機構、１４は球発射レール、１５は戻り球取入口、１６は前横樋、１７は機外排出樋、１８は施錠装置、１９は掛止機構、２０は掛止機構、２１は掛止機構、２２は掛止解除操作体、２３はヒンジ、２４は窓、２５はパネル構造体、２６は掛止部材、２７はヒンジ、２８は低音スピーカ、２９は受皿部、３０は発射操作機構、３１は球取入口、３２は球供給口、３３；３４は欠番、３５は遊技盤、３６はガイドレール、３７は入賞部品、３８は遊技釘、３９は発射通路、４０はアウト口、４１は取付孔部、４２は証紙台、４３はスピーカ逃避部、４４は扉放音部、４５は証紙表示部、４６は扉音入口、４７は扉音出口、４８は遊技領域、４９；５０は欠番、５１はフレーム、５２は前面パネル、５３は後面パネル、５４はスピーカ後カバー、５５は透視開口部、５６は前パネル収容部、５７は後パネル収容部、５８はヒンジ、５９は掛止受止部、６０はスピーカ設置部、６１はスピーカ前カバー、６２は前開口、６３は音導入路、６４は前パネル支持体、６５はフレーム音出口、６６は張出部、６７は張出部、６８は音導出路、６９は後パネル支持体、７０はスピーカ取付部、７１は後カバー取付部、７２は欠番、７３はコーン、７４は音響変換部、７５はフランジ、７６はねじ挿入孔、７７は引出線、７８はコネクタ、７９は止ねじ、８０は欠番、８１はねじ挿入孔、８２は放音孔部、８３は止ねじ、８４は欠番、８５は欠番、８６は欠番、８７は欠番、８８は隔壁、８９は音導入部、Ｄは閉鎖空間、Ｈ１は間隙。
【図１】
2008119110.tif 000003
【図２】
2008119110.tif 000004
【図３】
2008119110.tif 000005
【図４】
2008119110.tif 000006
【図５】
2008119110.tif 000007
【図６】
2008119110.tif 000008
【図７】
2008119110.tif 000009
【図８】
2008119110.tif 000010
【図９】
2008119110.tif 000011